【手続補正書】
【提出日】令和1年9月17日(2019.9.17)
【手続補正１】
【補正対象書類名】特許請求の範囲
【補正対象項目名】全文
【補正方法】変更
【補正の内容】
【特許請求の範囲】
【請求項１】
光取得システムのセンサの少なくとも１つの画素が前記光取得システムの瞳を介して検出できる１組の光線によって占められる、前記光取得システムの物体空間におけるボリュームを表すデータを生成する、コンピュータにより実施される方法であって、前記ボリュームは画素ビームと称され、前記方法は、
前記画素ビームを表すライト・フィールド光線と、前記物体空間における相異なる深度に対応する複数の所与の基準平面との交点を規定する交点データを、前記光取得システムによって捕捉されたライト・フィールド・データから得ること（Ｓ８０３）と、
４Ｄ光線図において前記交点データの図式的な表現を規定する光線図パラメータを得ること（Ｓ８０５，Ｓ８０６）と、
前記画素ビームを表すデータを提供するために、前記光線図パラメータを、前記画素ビームを規定するパラメータに関連付けることと、
を含む、前記方法。
【手続補正２】
【補正対象書類名】明細書
【補正対象項目名】０１０７
【補正方法】変更
【補正の内容】
【０１０７】
上述の実施例を参照すれば、多数の更なる修正と変形が当業者の心にひとりでに浮かぶであろうし、また、これらの実施例は、単に例として記載されており、本発明の有効範囲を制限する意図はなく、本発明の有効範囲は、後述の特許請求の範囲のみによって決定される。特に、相異なる実施形態から得られる相異なる特徴は、適切な場合、入れ替えてもよい。
上記実施形態の一部又は全部は、以下の付記のようにも記載されうるが、以下には限られない。
（付記１）
光取得システムのセンサの少なくとも１つの画素が前記光取得システムの瞳を介して検出できる１組の光線によって占められる、前記光取得システムの物体空間におけるボリュームを表すデータを生成する、コンピュータにより実施される方法であって、前記ボリュームは画素ビームと称され、前記方法は、
前記画素ビームを表すライト・フィールド光線と、前記物体空間における相異なる深度に対応する複数の所与の基準平面との交点を規定する交点データを、前記光取得システムによって捕捉されたライト・フィールド・データから得ること（Ｓ８０３）と、
４Ｄ光線図において前記交点データの図式的な表現を規定する光線図パラメータを得ること（Ｓ８０５，Ｓ８０６）と、
前記画素ビームを表すデータを提供するために、前記光線図パラメータを、前記画素ビームを規定するパラメータに関連付けることと、
を含む、前記方法。
（付記２）
前記画素ビームを表すライト・フィールド光線が、前記画素の中心と前記瞳の中心とを通過する直線であり、前記画素ビームを規定するパラメータが、前記物体空間における前記画素の共役の位置およびサイズである、付記１に記載の方法。
（付記３）
前記ライト・フィールド光線に対応する前記交点データが、前記光線図においてデータ・ラインとして図式的に表され、前記光線図パラメータには、
データ・ラインの傾きと、
データ・ラインと前記光線図の軸との交点と、
のうちの少なくとも一方を表すデータが含まれる、付記２に記載の方法。
（付記４）
前記データ・ラインは、ラドン変換を適用することによって、２Ｄ光線図において検出される、付記３に記載の方法。
（付記５）
前記図式的な表現は、デジタル・データ・ラインを提供するセルのマトリクスとして提供され、各々のデジタル・データ・ラインのフォーマットが、前記ラインと軸との交点を表す少なくとも１つの第１のセルと、該ラインの傾きを特定し得る少なくとも１つの第２のセルとの複数のセルによって規定される、付記３又は４に記載の方法。
（付記６）
各々の前記デジタル・データ・ラインが、ブレゼンハムのアルゴリズムの適用によって生成される、付記５に記載の方法。
（付記７）
前記画素ビームを表すデータが、対応する前記ライト・フィールド光線の色を表す色データを更に備えている、付記１から６のいずれか１項に記載の方法。
（付記８）
前記画素ビームを表すデータが、メタデータとして提供され、前記メタデータのヘッダが、２Ｄ光線図において前記交点データの図式的な表現を規定する光線図パラメータを備えており、前記メタデータのボディが、光線の色を表すデータと、前記物体空間における前記画素の共役の位置およびサイズを規定するパラメータと、を備えている、付記７に記載の方法。
（付記９）
光取得システムのセンサの少なくとも１つの画素が前記光取得システムの瞳を介して検出できる１組の光線によって占められる、前記光取得システムの物体空間におけるボリュームについてのメタデータを提供する装置であって、前記ボリュームは画素ビームと称され、前記装置は、ライト・フィールド・カメラによって捕捉されたライト・フィールド・データを取得するライト・フィールド・データ取得モジュールと、ライト・フィールド・データ生成モジュールとを備え、該ライト・フィールド・データ生成モジュールは、
前記画素ビームを表すライト・フィールド光線と、互いに平行でありかつ前記物体空間における相異なる深度に対応する複数の所与の基準平面との交点を規定する交点データを、前記取得されたライト・フィールド・データから得て、
前記取得されたライト・フィールド・データを表すデータを提供するために２Ｄ光線図において前記交点データの図式的な表現を規定する光線図パラメータを得て、
前記画素ビームを表すデータを提供するために、前記光線図パラメータを、前記画素ビームを規定するパラメータに関連付ける、
ように構成されている、前記装置。
（付記１０）
規則的な格子構造の状態で配置されたマイクロレンズ・アレイと、
前記マイクロレンズ・アレイから光センサに投影された光を捕捉するように構成された光センサであって、該光センサは複数の画素組を備えており、各々の画素組は、前記マイクロレンズ・アレイのそれぞれのマイクロレンズと光学的に関連付けられている、前記光センサと、
付記９に記載のメタデータを提供する装置と、
を備えた、ライト・フィールド・イメージング装置。
（付記１１）
付記１から８のいずれか１項に記載の方法によって得られたライト・フィールド・データから画像を描画する装置。
（付記１２）
光取得システムのセンサの少なくとも１つの画素が前記光取得システムの瞳を介して検出できる１組の光線によって占められる、前記光取得システムの物体空間におけるボリュームを表すデータについてのデータ・パッケージであって、前記ボリュームは画素ビームと称され、前記データ・パッケージは、
前記画素ビームを表す光線の交点データの、２Ｄ光線図における図式的な表現を規定する光線図パラメータであって、前記交点データは、前記画素ビームを表すライト・フィールド光線と、互いに平行でありかつ前記物体空間における相異なる深度に対応する複数の所与の基準平面との交点を規定している、前記光線図パラメータと、
前記画素ビームを表すライト・フィールド光線の色を規定する色データと、
前記物体空間における前記画素の共役の位置およびサイズを規定するパラメータと、
を有している、前記データ・パッケージ。
（付記１３）
プログラム可能な装置用のコンピュータ・プログラム製品であって、該プログラム可能な装置にロードされて実行される際に付記１から８のいずれか１項に記載の付記に記載された方法を実施する一連の命令を備えた前記コンピュータ・プログラム製品。